(57)【特許請求の範囲】
【請求項１】
ジョブの内容に応じて画像を入力する画像入力手段と、
前記ジョブに対応するジョブ識別子を発行するジョブ管理手段と、
前記画像から当該画像の情報量を少なくする処理を行なってログイメージを作成するログイメージ作成手段と、
前記ログイメージ及び前記ジョブ識別子を外部装置に転送する転送手段と、
前記外部装置に前記ログイメージ及び前記ジョブ識別子の転送が成功したか否かを判断する制御手段と、
前記制御手段が前記ログイメージ及び前記ジョブ識別子の転送が成功したと判断した場合、前記ジョブに応じた出力態様で前記画像を出力する画像出力手段と、
前記画像出力手段が前記画像を出力した後、前記ジョブの内容に応じてジョブログを生成するジョブログ生成手段とを備え、
前記制御手段は、前記ジョブログを前記ジョブ識別子とともに前記外部装置に転送し、
前記ジョブ管理手段は、前記ログイメージ及び前記ジョブ識別子の転送が失敗したと判断された場合、前記ジョブを中止することを特徴とする画像処理装置。
【請求項２】
ジョブの内容に応じて画像を入力する入力ステップと、
前記ジョブに対応するジョブ識別子を発行する発行ステップと、
前記画像から当該画像の情報量を少なくする処理を行なってログイメージを作成する作成ステップと、
前記ログイメージ及び前記ジョブ識別子を外部装置に転送する第１の転送ステップと、
前記外部装置に前記ログイメージ及び前記ジョブ識別子の転送が成功したか否かを判断する判断ステップと、
前記判断ステップにおいて前記ログイメージ及び前記ジョブ識別子の転送が成功したと判断された場合、前記画像を前記ジョブに応じた出力態様で出力する出力ステップと、
前記画像を出力した後、前記ジョブの内容に応じてジョブログを生成する生成ステップと、
前記ジョブログを前記ジョブ識別子とともに前記外部装置に転送する第２の転送ステップと、
前記判断ステップにおいて前記ログイメージ及び前記ジョブ識別子の転送が失敗したと判断された場合、前記ジョブを中止する中止ステップとをコンピュータに実行させるためのジョブログ管理プログラム。
【請求項３】
ジョブを実行する画像処理装置と、前記画像処理装置にネットワークを介して接続された管理サーバとを有する画像処理システムにおいて、
前記画像処理装置は、ジョブを実行して画像を入力するジョブ実行手段と、前記ジョブに対応するジョブ識別子を発行するジョブ管理手段と、前記ジョブで扱われた画像から当該画像の情報量を少なくする処理を行なってログイメージを作成するログイメージ作成手段と、前記ログイメージ及び前記ジョブ識別子を前記管理サーバに転送する転送手段と、前記管理サーバに前記ログイメージ及び前記ジョブ識別子の転送が成功したか否かを判断する制御手段と、前記制御手段が前記ログイメージ及び前記ジョブ識別子の転送が成功したと判断した場合、前記ジョブに応じた出力態様で前記画像を出力する画像出力手段と、前記ジョブの実行後にジョブログを生成するジョブログ生成手段とを備え、前記制御手段は、前記ジョブログを前記ジョブ識別子とともに前記外部装置に転送し、前記ジョブ管理手段は、前記ログイメージ及び前記ジョブ識別子の転送が失敗したと判断された場合、前記ジョブを中止し、
前記管理サーバは、前記転送手段から転送された前記ジョブログおよび前記ログイメージを前記ジョブ識別子に基づいて互いに関連付けて記憶する記憶装置を備えたことを特徴とする画像処理システム。
【発明の詳細な説明】
【技術分野】
【０００１】
本発明は、コピー、プリント、スキャン、ファックス等のジョブを実行した後、それをジョブログ（ジョブの実行記録）として管理する画像処理装置、ジョブログ管理プログラムおよび画像処理システムに関する。
【背景技術】
【０００２】
従来より、ＬＡＮ（ローカルエリアネットワーク）に複数のクライアントとプリンタが接続され、複数のユーザがプリンタを共有可能な印刷システムが一般に知られている（例えば、特許文献１参照。）。
【０００３】
この印刷システムでは、クライアントで印刷すべき文書の印刷データを生成し、これをネットワーク上で共有されるプリンタに送信して印刷することができる。プリンタで印刷が実行されると、その印刷ジョブのジョブログがプリンタに蓄積される。ジョブログは、例えば、ジョブＩＤ、ジョブの種類、ジョブ受付時刻、ジョブ終了時刻、ジョブステータス（ジョブの状態）等からなる。
【特許文献１】特開２００４−１９２２７３号公報（段落［０００２］）
【発明の開示】
【発明が解決しようとする課題】
【０００４】
しかし、従来の印刷システムによると、通常はプリンタがクライアントから離れた場所に設置されているため、印刷した用紙を放置しておくと、その用紙が他の者に盗まれるおそれがある。原稿が機密文書の場合には、機密情報が漏洩しないようにする必要があるが、ジョブログのみの管理では、機密文書が漏洩されても、漏洩元を特定することができず、機密情報の漏洩を抑制することは難しい。
【０００５】
また、各プリンタに蓄積されたジョブログを管理サーバに転送することが一般に行われているが、機密情報の漏洩防止のために、ジョブログの他にジョブで扱った画像も管理サーバに転送しようとすると、転送に長時間を要するため、ネットワークに負担がかかり、プリンタの利用が妨げられるおそれがある。
【０００６】
従って、本発明の目的は、機密情報の漏洩があっても、漏洩元を特定することが可能で
あり、ジョブを実行する画像処理装置の利用を妨げないようにした画像処理装置、ジョブログ管理プログラムおよび画像処理システムを提供することにある。
【課題を解決するための手段】
【００１３】
本発明の第１の態様は、上記目的を達成するため、ジョブの内容に応じて画像を入力する画像入力手段と、前記ジョブに対応するジョブ識別子を発行するジョブ管理手段と、前記画像から当該画像の情報量を少なくする処理を行なってログイメージを作成するログイメージ作成手段と、前記ログイメージ及び前記ジョブ識別子を外部装置に転送する転送手段と、前記外部装置に前記ログイメージ及び前記ジョブ識別子の転送が成功したか否かを判断する制御手段と、前記制御手段が前記ログイメージ及び前記ジョブ識別子の転送が成功したと判断した場合、前記ジョブに応じた出力態様で前記画像を出力する画像出力手段と、前記画像出力手段が前記画像を出力した後、前記ジョブの内容に応じてジョブログを生成するジョブログ生成手段とを備え、前記制御手段は、前記ジョブログを前記ジョブ識別子とともに前記外部装置に転送し、前記ジョブ管理手段は、前記ログイメージ及び前記ジョブ識別子の転送が失敗したと判断された場合、前記ジョブを中止することを特徴とする画像処理装置を提供する。
【００１８】
本発明の第２の態様は、上記目的を達成するため、ジョブの内容に応じて画像を入力する入力ステップと、前記ジョブに対応するジョブ識別子を発行する発行ステップと、前記画像から当該画像の情報量を少なくする処理を行なってログイメージを作成する作成ステップと、前記ログイメージ及び前記ジョブ識別子を外部装置に転送する第１の転送ステップと、前記外部装置に前記ログイメージ及び前記ジョブ識別子の転送が成功したか否かを判断する判断ステップと、前記判断ステップにおいて前記ログイメージ及び前記ジョブ識別子の転送が成功したと判断された場合、前記画像を前記ジョブに応じた出力態様で出力する出力ステップと、前記画像を出力した後、前記ジョブの内容に応じてジョブログを生成する生成ステップと、前記ジョブログを前記ジョブ識別子とともに前記外部装置に転送する第２の転送ステップと、前記判断ステップにおいて前記ログイメージ及び前記ジョブ識別子の転送が失敗したと判断された場合、前記ジョブを中止する中止ステップとをコンピュータに実行させるためのジョブログ管理プログラムを提供する。
【００１９】
本発明の第３の態様は、上記目的を達成するため、ジョブを実行する画像処理装置と、前記画像処理装置にネットワークを介して接続された管理サーバとを有する画像処理システムにおいて、前記画像処理装置は、ジョブを実行して画像を入力するジョブ実行手段と、前記ジョブに対応するジョブ識別子を発行するジョブ管理手段と、前記ジョブで扱われた画像から当該画像の情報量を少なくする処理を行なってログイメージを作成するログイメージ作成手段と、前記ログイメージ及び前記ジョブ識別子を前記管理サーバに転送する転送手段と、前記管理サーバに前記ログイメージ及び前記ジョブ識別子の転送が成功したか否かを判断する制御手段と、前記制御手段が前記ログイメージ及び前記ジョブ識別子の転送が成功したと判断した場合、前記ジョブに応じた出力態様で前記画像を出力する画像出力手段と、前記ジョブの実行後にジョブログを生成するジョブログ生成手段とを備え、前記制御手段は、前記ジョブログを前記ジョブ識別子とともに前記外部装置に転送し、前記ジョブ管理手段は、前記ログイメージ及び前記ジョブ識別子の転送が失敗したと判断された場合、前記ジョブを中止し、前記管理サーバは、前記転送手段から転送された前記ジョブログおよび前記ログイメージを前記ジョブ識別子に基づいて互いに関連付けて記憶する記憶装置を備えたことを特徴とする画像処理システムを提供する。
【００２０】
第１乃至第３の態様によれば、ジョブログおよびログイメージを所定のタイミングで外部装置に転送して外部装置で管理することにより、機密文書が漏洩した場合にログイメージおよびジョブログから漏洩元を特定することが可能となる。
【００２１】
また、ログイメージを転送した後に画像を出力しているので、ログイメージの転送が失敗したにも拘らず、画像が出力されることを防ぐことができる。
【００２２】
上記ジョブには、単一のジョブだけでなく、複数のジョブからなるジョブフローも含まれる。ジョブフローでは、複数のジョブが共通の画像を扱うため、共通の画像に対してログイメージが作成される。また、上記「ジョブで扱われた画像」には、ジョブ実行中やジョブ終了後の画像が含まれる。さらに、上記外部装置は、１または２以上の画像処理装置を管理する管理サーバや、外部記憶装置等が含まれる。
【００２３】
上記ジョブに応じた出力態様には、例えば、ジョブがコピーの場合は、画像を用紙に印刷して出力する態様であり、ジョブがスキャン（スキャンデータをパーソナルコンピュータ（ＰＣ）に転送）の場合は、スキャンデータをＰＣに出力する態様であり、ジョブがファクシミリ送信の場合は、相手機へのファクシミリデータの送信を開始する態様である。
【００２４】
上記画像処理装置には、複写機、プリンタ、スキャナ、ファクシミリ装置等の単一の機能を有するもの、コピー、プリント、スキャン、ファックス等の複数の機能を有する複合機や、複写機、プリンタ、スキャナ、ファクシミリ装置等からなるシステムが含まれる。
【発明の効果】
【００２５】
本発明によれば、機密情報の漏洩があっても、漏洩元を特定することが可能となる。また、画像処理装置の利用を妨げないようにすることができる。
【発明を実施するための最良の形態】
【００２６】
［第１の実施の形態］
図１は、本発明の第１の実施の形態に係る画像処理システムを示す。この画像処理システム１は、ジョブを実行してジョブログを生成するとともにジョブで扱った画像からログイメージを作成する複数の画像処理装置としての複合機２と、各複合機２から通信線としてのネットワーク３を介して転送されたジョブログおよびログイメージを格納するジョブログ管理サーバ４とを備える。
【００２７】
図２は、複合機２のブロック図である。この複合機２は、ＣＰＵ，ＲＯＭ，ＲＡＭ等を備え、本複合機２の各部を制御する制御部２０と、ディスプレイの表面にタッチパネルを重畳して構成されたタッチパネルディスプレイや、スタートキー等のハードキーを備えた操作表示部２１と、原稿から画像を光学的に読み取る画像読取部２２と、電子写真方式等により画像を用紙に印刷する印刷部２３と、設定画面、設定情報、画像等の各種の情報を記憶するＨＤＤ等からなる記憶装置２４と、ジョブを受け付けてジョブＩＤを発行するとともにジョブ実行後にジョブログ等を生成するジョブ管理部２５と、ネットワーク３に接続されたネットワーク通信部２６と、電話回線網等に接続されたファクリミリ通信部２７とを有し、これらがバス２８を介して互いに接続されている。
【００２８】
複合機２は、コピー（複写）、プリント、スキャン、ファックス等の複数の機能を有する。ジョブは、これらの複数の機能のうち１つの機能、または複数の機能を利用して画像を処理する。ジョブは、操作表示部２１で受け付けるが、ネットワーク３に接続されたパーソナルコンピュータ等からなる図示しないユーザ端末から受け付けてもよい。
【００２９】
制御部２０のＲＯＭには、ジョブ実行プログラム、ジョブログ管理プログラム、ＨＴＴＰ(Hypertext Transfer Protocol)，ＨＴＴＰＳ(Hypertext Transfer Protocol Security)等の転送プロトコル等の各種のプログラムが記憶されており、制御部２０のＣＰＵは、ＲＯＭに記憶されているプログラムに従って複合機２の各部を制御するとともに、後述するジョブログおよびログイメージの転送タイミングを検知する。なお、転送タイミングの検知には、必要に応じてセンサを用いてもよい。
【００３０】
操作表示部２１は、ジョブログおよびログイメージの管理サーバ４への転送タイミング
を設定できるようになっている。すなわち、管理者設定モードにおいて操作表示部２１２のディスプレイに表示される管理者設定画面上で以下の項目から転送タイミングを選択して設定できる。
（ａ）ジョブの完了時
（ｂ）管理者の手動による転送指示があったとき
（ｃ）画像処理装置自体の負担が低いとき
このような場合として、以下の項目から選択して設定することができる。
（ｉ）一定時間ジョブが実行されていないことを検知したとき
（ii）電源投入時
（iii）節電モードに入ったとき
（iv）夜間等の特定の時間帯になったとき
（ｖ）外部端末（ユーザ端末）から指示を受けたとき
（vi）電源ＯＮから所定の操作がされるまで等の特定の時間間隔が経過したとき
（vii）転送を行うことができる環境が整ったことを検知したとき
（ｄ）ログイメージが消失する可能性が高くなったとき
このような場合として、以下の項目から選択して設定することができる。
（ｉ）一定数のジョブログまたはログイメージが蓄積されたとき
（ii）ディスクニアフル、すなわちログイメージおよびジョブログの記憶容量が所定の値に達したことを検知したとき
（iii）ログイメージおよびジョブログを消去する操作が行われたとき
なお、画像処理装置自体の負担が低いとき、ログイメージが消失する可能性が高くなったときの転送タイミングは、上記の場合に限られない。また、（ａ）〜（ｃ）の転送タイミングは上記の場合に限られない。
【００３１】
ジョブ管理部２５は、ジョブ実行後にジョブログを生成し、それを蓄積するジョブログ生成・蓄積部２５０と、ジョブで扱われた画像からログイメージを作成するログイメージ作成部２５１と、ジョブログに関連付けられてログイメージを記憶するログイメージ記憶部２５２とを備え、制御部２０のＣＰＵの制御の下に動作する。
【００３２】
ジョブログは、例えば、複合機ＩＤ、ジョブＩＤ、ジョブの種類、ユーザ名、ジョブ受付時刻、ジョブ終了時刻、ジョブの待機中・処理中・中止・完了等のステータス情報等からなる。
【００３３】
ログイメージ作成部２５１は、ジョブで扱われた画像に記憶装置２４に記憶されているログイメージ作成設定情報に従った処理を施し、例えばジョブで扱われた画像の情報量を解像度低下、画像選択等により少なくする処理を行ってログイメージを作成する。ログイメージ作成設定情報として、例えば、ログイメージの解像度や、画像が複数ページからなる場合には、ログイメージとして扱うページ指定等が含まれる。ログイメージ作成部２５１は、解像度が設定された場合には、ジョブで扱われた画像の解像度を低くして縮小画像のログイメージを作成し、ページが指定された場合には、指定されたページをログイメージとする。
【００３４】
図３は、ジョブログ管理サーバ４のブロック図である。このジョブログ管理サーバ４は、ネットワーク３に接続された通信部４０と、ＣＰＵ，ＲＯＭ，ＲＡＭ等を備え、本サーバ４の各部を制御する制御部４１と、ＨＤＤ等からなる記憶装置４２と、キーボード，マウス等を備えた入力部４３と、設定画面等を表示する表示部４４とを有し、例えば、パーソナルコンピュータで実現することができる。
【００３５】
制御部４１のＲＯＭには、各種のプログラムが記憶されており、制御部４１のＣＰＵは、ＲＯＭに記憶されているプログラムに従ってジョブログ管理サーバ４の各部を制御する。
【００３６】
記憶装置４２は、各複合機２から転送されたログイメージおよびジョブログ、設定画面等を記憶するものであり、ログイメージはジョブログに関連して記憶される。
【００３７】
（第１の実施の形態の動作）
次に、本実施の形態の動作を場合を分けて説明する。
【００３８】
（１）管理者による設定
システム１または複写機２の管理者は、複合機２の操作表示部２１を操作してパスワードを入力し、当該管理者が正規の管理者であると認定されると、管理者設定モードに入る。管理者は、メニュー画面から［ログイメージ転送タイミング設定］ボタンを選択して図示しないログイメージ転送タイミング設定画面を操作表示部２１に表示させる。
【００３９】
管理者は、ログイメージ転送タイミング設定画面上で、ログイメージ転送タイミングを複数の項目から選択し、図示しない［確認／変更］ボタンを押下した後、［閉じる］ボタンを押下してログイメージ転送タイミング設定画面を閉じると、ログイメージ転送タイミング設定画面に対する設定内容が確定する。制御部２０は、確定したログイメージ転送タイミング設定情報を記憶装置２４に記憶し、管理者設定モードから通常モードヘ移行する。
【００４０】
（２）ジョブログの生成およびログイメージの作成
ユーザが複合機２の操作表示部２１を操作してジョブを設定し、ジョブの実行を指示すると、制御部２０は、複合機２の各部を制御してジョブを実行する。ジョブ管理部２５は、ジョブが開始されると複合機ＩＤおよびジョブＩＤを発行し、これらの複合機ＩＤおよびジョブＩＤを基にジョブを管理する。なお、ジョブの設定およびジョブの実行指示は、ネットワーク３に接続されたユーザ端末から行ってもよい。
【００４１】
ジョブ管理部２５のジョブログ生成・蓄積部２５０は、ジョブの実行後にジョブログを生成し、蓄積する。ログイメージ作成部２５１は、ジョブで扱われた画像に、記憶装置２４に記憶されているログイメージ作成設定情報に従った画像処理を施してログイメージを作成する。
【００４２】
（３）ジョブログおよびログイメージの転送
制御部２０は、ログイメージ転送タイミング設定画面で設定された転送タイミングを検知すると、ジョブログおよびログイメージをＨＴＴＰ等の転送プロトコルを用いてネットワーク通信部２６およびネットワーク３を介してジョブログ管理サーバ４に転送する。ジョブログ管理サーバ４の制御部４１は、複合機２から転送されたジョブログおよびログイメージを通信部４０により受信し、ジョブログおよびログイメージを互いに関連付けて記憶装置４２に記憶する。ジョブログおよびログイメージを互いに関連付けて記憶するには、例えば、それぞれを複合機ＩＤおよびジョブＩＤに関連付けて記憶することにより実現することができる。ジョブログおよびログイメージは、管理者のジョブ管理に供される。
【００４３】
（第１の実施の形態の効果）
上述した第１の実施の形態によれば、以下の効果が得られる。
（イ）ログイメージをジョブログに関連して管理することで、機密情報の漏洩があっても、漏洩元を特定することが可能となり、機密情報の漏洩を抑制することができる。
（ロ）ログイメージおよびジョブログをともに所定のタイミングで管理サーバ４に転送しているので、複合機２の利用が妨げられることもない。
（ハ）ジョブで扱った画像を低解像度化、あるいはページ選択してログイメージを作成しているので、複合機２およびジョブログ管理サーバの記憶装置として大容量のものを必要としない。
（ニ）情報量の少なくしてログイメージをジョブログ管理サーバ４に転送するため、ネットワーク３への負荷を軽減することができる。
【００４４】
［第２の実施の形態］
次に、本発明の第２の実施の形態に係る画像処理システムについて説明する。第２の実施の形態の複合機は、ログイメージを転送した後に、画像出力動作を行うものであり、他は第１の実施の形態と同様に構成されている。システム１の構成図、および複合機２のブロック図は、第１の実施の形態と同様であるので、図示を省略する。
【００４５】
図４乃至図６は、本発明の第２の実施の形態に係る画像処理システムの動作を示し、図４はコピージョブの場合、図５は、スキャンジョブの場合、図６は、ファクシミリ送信ジョブの場合のフローチャートである。
【００４６】
（１）コピー（印刷）ジョブの場合（図４参照）
ユーザは、原稿を図示しない原稿台あるいはＡＤＦにセットし、複合機２の操作表示部２１を操作してメインメニューからジョブとしてコピーを選択し、コピーについて用紙サイズ、枚数等の詳細を設定し、操作表示部２１のスタートキーを押下して原稿を画像読取部２２に読み取らせる（原稿スキャン）（Ｓ１）。
【００４７】
スキャンが開始すると、ジョブ管理部２５は、複合機ＩＤおよびジョブＩＤを発行し、これらの複合機ＩＤおよびジョブＩＤを基にコピージョブを管理する。
【００４８】
画像読取部２２は、制御部２０の制御の下に、原稿から原稿画像を読み取り、記憶装置２４に記憶する。
【００４９】
ジョブ管理部２５のログイメージ作成部２５１は、記憶装置２４に記憶されているログイメージ作成設定情報に従い、原稿画像からログイメージを作成し、一端記憶装置２４に記憶する（Ｓ２）。
【００５０】
次に、制御部２０は、記憶装置２４からログイメージを複合機ＩＤおよびジョブＩＤとともにネットワーク通信部２６およびネットワーク３を介してジョブログ管理サーバ４に転送する（Ｓ３）。
【００５１】
ジョブログ管理サーバ４の制御部４１は、複合機２から転送された複合機ＩＤ、ジョブＩＤおよびログイメージを通信部４０により受信し、複合機ＩＤ、ジョブＩＤおよびログイメージを互いに関連付けて記憶装置４２に記憶する。
【００５２】
制御部２０は、ジョブログ管理サーバ４との通信によりログイメージの転送が成功したか否かを判断する（Ｓ４）。
【００５３】
ログイメージの転送が成功すると（Ｓ４：Ｙｅｓ）、制御部２０は、原稿画像を記憶装置２４から読み出して印刷部２３に出力する。印刷部２３は、原稿画像を用紙に印刷して出力する（Ｓ５）。
【００５４】
ジョブ管理部２５のジョブログ生成・蓄積部２５０は、ジョブの実行後にジョブログを生成し、蓄積する（Ｓ６）。ジョブログは、既に発行した複合機ＩＤおよびジョブＩＤに対応してジョブの種類（この場合はコピー）、ジョブ受付時刻、ジョブ終了時刻、ステータス情報（この場合は完了）等が蓄積される。
【００５５】
制御部２０は、上記ステップＳ３でログイメージとともに転送した複合機ＩＤおよびジョブＩＤに対応するジョブログをジョブログ生成・蓄積部２５０から読み出してネットワーク通信部２６およびネットワーク３を介してジョブログ管理サーバ４に転送する（Ｓ７）。
【００５６】
ジョブログ管理サーバ４の制御部４１は、複合機２から転送されたジョブログを通信部４０により受信し、ジョブログを複合機ＩＤおよびジョブＩＤに関連して記憶装置４２に記憶する。記憶装置４２には、ジョブログおよびログイメージが互いに関連して記憶される。
【００５７】
上記ステップＳ４において、ログイメージの転送が失敗した場合は（Ｓ４：Ｎｏ）、制御部２０は、印刷ジョブを中止する（Ｓ８）。
【００５８】
（２）スキャンジョブの場合（図５参照）
ユーザは、原稿を図示しない原稿台あるいはＡＤＦにセットし、複合機２の操作表示部２１を操作してメインメニューからジョブとしてスキャンを選択し、操作表示部２１にユーザＩＤを入力し、スタートキーを押下して原稿を画像読取部２２に読み取らせる（原稿スキャン）（Ｓ１）。
【００５９】
スキャンが開始すると、ジョブ管理部２５は、複合機ＩＤおよびジョブＩＤを発行し、これらの複合機ＩＤおよびジョブＩＤを基にスキャンジョブを管理する。
【００６０】
画像読取部２２は、制御部２０の制御の下に、原稿から原稿画像を読み取り、記憶装置２４内のユーザＩＤに対応した親展ボックスに記憶する。
【００６１】
ジョブ管理部２５のログイメージ作成部２５１は、記憶装置２４に記憶されているログイメージ作成設定情報に従い、原稿画像からログイメージを作成し、一端記憶装置２４に記憶する（Ｓ２）。
【００６２】
次に、制御部２０は、記憶装置２４からログイメージを複合機ＩＤおよびジョブＩＤとともにネットワーク通信部２６およびネットワーク３を介してジョブログ管理サーバ４に転送する（Ｓ３）。
【００６３】
ジョブログ管理サーバ４の制御部４１は、複合機２から転送された複合機ＩＤ、ジョブＩＤおよびログイメージを通信部４０により受信し、複合機ＩＤ、ジョブＩＤおよびログイメージを互いに関連付けて記憶装置４２に記憶する。
【００６４】
制御部２０は、ジョブログ管理サーバ４との通信によりログイメージの転送が成功したか否かを判断する（Ｓ４）。
【００６５】
ログイメージの転送が成功し（Ｓ４：Ｙｅｓ）、ユーザからＰＣ等のユーザ端末を用いてユーザＩＤおよびパスワードが入力され、制御部２０は、入力されたユーザＩＤおよびパスワードからユーザを認証すると、原稿画像（スキャンデータ）を記憶装置２４内の親展ボックスから読み出してユーザ端末にネットワーク３を介して送信する（Ｓ１５）。
【００６６】
ジョブ管理部２５のジョブログ生成・蓄積部２５０は、ジョブの実行後にジョブログを生成し、蓄積する（Ｓ６）。ジョブログは、既に発行した複合機ＩＤおよびジョブＩＤに対応してジョブの種類（この場合はスキャン）、ジョブ受付時刻、ジョブ終了時刻、ステータス情報（この場合は完了）等が蓄積される。
【００６７】
制御部２０は、上記ステップＳ３でログイメージとともに転送した複合機ＩＤおよびジョブＩＤに対応するジョブログをジョブログ生成・蓄積部２５０から読み出してネットワーク通信部２６およびネットワーク３を介してジョブログ管理サーバ４に転送する（Ｓ７）。
【００６８】
ジョブログ管理サーバ４の制御部４１は、複合機２から転送されたジョブログを通信部４０により受信し、ジョブログを複合機ＩＤおよびジョブＩＤに関連して記憶装置４２に記憶する。記憶装置４２には、ジョブログおよびログイメージが互いに関連して記憶される。
【００６９】
上記ステップＳ４において、ログイメージの転送が失敗した場合は（Ｓ４：Ｎｏ）、制御部２０は、スキャンデータのユーザ端末への送信を中止する（Ｓ１８）。
【００７０】
（３）ファクシミリ送信ジョブの場合（図６参照）
ユーザは、原稿を図示しない原稿台あるいはＡＤＦにセットし、複合機２の操作表示部２１を操作してメインメニューからジョブとしてファクシミリを選択し、操作表示部２１に表示されたファックス番号リストから送信先を選択し、操作表示部２１のスタートキーを押下して原稿を画像読取部２２に読み取らせる（原稿スキャン）（Ｓ１）。
【００７１】
スキャンが開始すると、ジョブ管理部２５は、複合機ＩＤおよびジョブＩＤを発行し、これらの複合機ＩＤおよびジョブＩＤを基にファクスジョブを管理する。
【００７２】
画像読取部２２は、制御部２０の制御の下に、原稿から原稿画像を読み取り、記憶装置２４に記憶する。
【００７３】
ジョブ管理部２５のログイメージ作成部２５１は、記憶装置２４に記憶されているログイメージ作成設定情報に従い、原稿画像からログイメージを作成し、一端記憶装置２４に記憶する（Ｓ２）。
【００７４】
次に、制御部２０は、記憶装置２４からログイメージを複合機ＩＤおよびジョブＩＤとともにネットワーク通信部２６およびネットワーク３を介してジョブログ管理サーバ４に転送する（Ｓ３）。
【００７５】
ジョブログ管理サーバ４の制御部４１は、複合機２から転送された複合機ＩＤ、ジョブＩＤおよびログイメージを通信部４０により受信し、複合機ＩＤ、ジョブＩＤおよびログイメージを互いに関連付けて記憶装置４２に記憶する。
【００７６】
制御部２０は、ジョブログ管理サーバ４との通信によりログイメージの転送が成功したか否かを判断する（Ｓ４）。
【００７７】
ログイメージの転送が成功すると（Ｓ４：Ｙｅｓ）、制御部２０は、原稿画像を記憶装置２４から読み出してファクシミリデータに変換し、ファクシミリデータの送信を行う（Ｓ２５）。
【００７８】
ジョブ管理部２５のジョブログ生成・蓄積部２５０は、ジョブの実行後にジョブログを生成し、蓄積する（Ｓ６）。ジョブログは、既に発行した複合機ＩＤおよびジョブＩＤに対応してジョブの種類（この場合はファックス）、ジョブ受付時刻、ジョブ終了時刻、ステータス情報（この場合は完了）等が蓄積される。
【００７９】
制御部２０は、上記ステップＳ３でログイメージとともに転送した複合機ＩＤおよびジョブＩＤに対応するジョブログをジョブログ生成・蓄積部２５０から読み出してネットワーク通信部２６およびネットワーク３を介してジョブログ管理サーバ４に転送する（Ｓ７）。
【００８０】
ジョブログ管理サーバ４の制御部４１は、複合機２から転送されたジョブログを通信部４０により受信し、ジョブログを複合機ＩＤおよびジョブＩＤに関連して記憶装置４２に記憶する。記憶装置４２には、ジョブログおよびログイメージが互いに関連して記憶される。
【００８１】
上記ステップＳ４において、ログイメージの転送が失敗した場合は（Ｓ４：Ｎｏ）、制御部２０は、ファクシミリデータの送信を中止する（Ｓ２８）。
【００８２】
（第２の実施の形態の効果）
上述した第２の実施の形態によれば、ログイメージを転送した後に画像出力動作を行っているので、サーバにログイメージが格納されていない文書の流出を防ぐことができる。
また、第１の実施の形態と同様にをコピージョブで扱った画像を低解像度化、あるいはページ選択してログイメージを作成することにより、複合機２およびジョブログ管理サーバ４の記憶装置として小容量のもので済み、ログイメージを管理サーバ４に転送する際のネットワーク３の負担を軽減することができる。その他は第１の実施の形態と同様である。
【００８３】
なお、第２の実施の形態では、ジョブとしてコピー、スキャン、ファクスについて説明したが、他のジョブにも同様に適用することができる。
【００８４】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【００８５】
例えば、サーバ４に対してログイメージ作成条件を設定し、そのログイメージ作成条件に従って各複合機２がログイメージを作成してもよい。これにより、管理者は各複合機２に対して設定操作をしなくて済むため、管理者の負担が軽減される。
【００８６】
また、ジョブ内容とログイメージ作成条件を記入した指示書を画像読取部に光学的に読み取らせ、それに基づいてログイメージ作成部がログイメージを作成してもよい。
【００８７】
また、上記各実施の形態では、ジョブログおよびログイメージを管理サーバに転送したが、外部記憶装置に転送してもよい。また、ジョブログとログイメージを互いに異なる装置に転送してもよい。
【００８８】
また、複数のログイメージからなるサムネイル画像を作成してもよい。これにより、ログイメージの画像内容を素早く把握し、確認することができる。
【図面の簡単な説明】
【００８９】
【図１】本発明の第１の実施の形態に係る画像処理システムを示す構成図である。
【図２】本発明の第１の実施の形態に係る複合機のブロック図である。
【図３】本発明の第１の実施の形態に係るジョブログ管理サーバのブロック図である。
【図４】本発明の第２の実施の形態に係る画像処理システムにおけるコピージョブの場合の動作を示すフローチャートである。
【図５】本発明の第２の実施の形態に係る画像処理システムにおけるスキャンジョブの場合の動作を示すフローチャートである。
【図６】本発明の第２の実施の形態に係る画像処理システムにおけるファクシミリ送信ジョブの場合の動作を示すフローチャートである。
【符号の説明】
【００９０】
１  画像処理システム
２  複写機
３  ネットワーク
４  ジョブログ管理サーバ
２０  制御部
２１  操作表示部
２２  画像読取部
２３  印刷部
２４  記憶装置
２５  ジョブ管理部
２６  ネットワーク通信部
２７  ファクリミリ通信部
２８  バス
４０  通信部
４１  制御部
４２  記憶装置
４３  入力部
４４  表示部
４５  文字認識部
【図１】
0004725726.tif 000002
【図２】
0004725726.tif 000003
【図３】
0004725726.tif 000004
【図４】
0004725726.tif 000005
【図５】
0004725726.tif 000006
【図６】
0004725726.tif 000007